(57)【要約】【課題】構造物において所定方向に並んだ状態で固定面に固定される複数の被固定体の各々を適切に位置決めする。【解決手段】建物において水平方向に並んだ状態で固定面に固定される複数の外壁パネル２の各々を、固定面の法線方向に沿う方向において位置決めする際に用いられる位置決め部材１０が、水平方向において互いに隣り合う第一パネル２Ｍ及び第二パネル２Ｎの双方の間に跨った状態で該双方に組み付けられる組み付け部１１と、上記法線方向において組み付け部１１の端位置が第一パネル２Ｍの端位置と揃った状態を保持するための保持部１２と、上記法線方向において組み付け部１１の端位置と第一パネル２Ｍの端位置と揃った状態が保持されている間に、上記法線方向において組み付け部１１の端位置と第二パネル２Ｎの端位置とが揃うように組み付け部１１に対する第二パネル２Ｎの位置を調整するための位置調整部１３と、を備える。【選択図】図２
2019011617.tif 000002
【特許請求の範囲】
【請求項１】
構造物において所定方向に並んだ状態で固定面に固定される複数の被固定体の各々を、前記固定面の法線方向に沿う方向において位置決めする際に用いられる位置決め部材であって、
前記複数の被固定体のうち、前記所定方向において互いに隣り合う第一被固定体及び第二被固定体の双方の間に跨った状態で該双方に組み付けられる組み付け部と、
前記法線方向において前記組み付け部の端位置が前記第一被固定体の端位置と揃った状態を保持するための保持部と、
前記法線方向において前記組み付け部の端位置が前記第一被固定体の端位置と揃った状態が前記保持部によって保持されている間に、前記法線方向において前記組み付け部の端位置と前記第二被固定体の端位置とが揃うように前記組み付け部に対する前記第二被固定体の位置を調整するための位置調整部と、を備えることを特徴とする位置決め部材。
【請求項２】
前記法線方向における前記組み付け部の端部には、前記所定方向及び前記法線方向の両方向と交差する交差方向の外側に向かって突出した突出部分が備えられており、
前記法線方向において前記突出部分と当接する位置に配置された平板状の当接部を有し、
前記保持部は、前記法線方向において前記当接部が前記第一被固定体の端及び前記突出部分と当接した状態を保持することで、前記法線方向において前記組み付け部の端位置が前記第一被固定体の端位置と揃った状態を保持し、
前記位置調整部は、前記法線方向において前記当接部が前記第一被固定体の端及び前記突出部分と当接している間に、前記法線方向において前記当接部が前記第二被固定体の端と当接するように前記組み付け部に対する前記第二被固定体の位置を調整することを特徴とする請求項１に記載の位置決め部材。
【請求項３】
前記保持部は、
前記法線方向において前記当接部とは反対側で前記第一被固定体と当接する第一被固定体当接部と、
前記法線方向において前記当接部を前記第一被固定体の端に押し付けるために前記当接部を前記第一被固定体当接部が位置する側に向かって押圧する第一押圧部と、
前記法線方向において前記当接部とは反対側で前記突出部分と当接する第一突出部分当接部と、
前記法線方向において前記当接部を前記突出部分に押し付けるために前記当接部を前記第一突出部分当接部が位置する側に向かって押圧する第二押圧部と、を有することを特徴とする請求項２に記載の位置決め部材。
【請求項４】
前記第一押圧部は、前記当接部のうち、前記第一被固定体の端に当接する部分を前記法線方向に沿って移動させるために前記法線方向に沿って進退する第一ネジ体を有し、
前記第二押圧部は、前記当接部のうち、前記第一被固定体に組み付けられている前記組み付け部の前記突出部分に当接する部分を前記法線方向に沿って移動させるために前記法線方向に沿って進退する第二ネジ体を有することを特徴とする請求項３に記載の位置決め部材。
【請求項５】
前記位置調整部は、
前記法線方向において前記当接部とは反対側で前記第二被固定体と当接する第二被固定体当接部と、
前記法線方向において前記当接部を前記第二被固定体の端に押し付けるために前記当接部を前記第二被固定体当接部が位置する側に向かって押圧する第三押圧部と、
前記法線方向において前記当接部とは反対側で前記突出部分と当接する第二突出部分当接部と、
前記法線方向において前記当接部を前記突出部分に押し付けるために前記当接部を前記第二突出部分当接部が位置する側に向かって押圧する第四押圧部と、を有することを特徴とする請求項２乃至４のいずれか一項に記載の位置決め部材。
【請求項６】
前記第三押圧部は、前記当接部のうち、前記第二被固定体の端に当接する部分を前記法線方向に沿って移動させるために前記法線方向に沿って進退する第三ネジ体を有し、
前記第四押圧部は、前記当接部のうち、前記第二被固定体に組み付けられている前記組み付け部の前記突出部分に当接する部分を前記法線方向に沿って移動させるために前記法線方向に沿って進退する第四ネジ体を有することを特徴とする請求項５に記載の位置決め部材。
【請求項７】
前記組み付け部は、前記第一被固定体及び前記第二被固定体の双方に対して着脱自在な状態で組み付けられるＬ型のアングル材によって構成されていることを特徴とする請求項２乃至６のいずれか一項に記載の位置決め部材。
【請求項８】
前記位置決め部材は、前記複数の被固定体として、建物において前記所定方向に沿って間隔を開けながら並んだ状態で固定される複数の外壁パネルの各々を、前記法線方向において位置決めする際に用いられることを特徴とする請求項１乃至７のいずれか一項に記載の位置決め部材。
【発明の詳細な説明】
【技術分野】
【０００１】
本発明は、位置決め部材に係り、特に、構造物において所定方向に並んだ状態で固定面に固定される複数の被固定体の各々を、固定面の法線方向に沿う方向において位置決めする際に用いられる位置決め部材に関する。
【背景技術】
【０００２】
構造物において複数の被固定体を所定方向に並べて固定する際に、固定面を設け、当該固定面に各被固定体を固定することは、既に知られている。一例を挙げて説明すると、特許文献１には、構造物としての建築物の躯体に定規アングルを取り付け、この定規アングルの垂直面（固定面）に被固定体としての外壁パネルを固定する技術が記載されている。
【０００３】
また、特許文献１では、水糸張り装置を用いて定規アングルの位置決めを行うことが記載されている。特許文献１に記載の水糸張り装置を用いれば、当該装置によって規定される墨出し位置に定規アングルが適切に配置されるようになる。この結果、外壁パネルを固定する固定面が正確に位置決めされることになる。
【先行技術文献】
【特許文献】
【０００４】
【特許文献１】特開２０１０−２４７４１号公報
【発明の概要】
【発明が解決しようとする課題】
【０００５】
ところで、外壁パネル等の被固定体を固定面に固定する際には、被固定体自体についても位置調整する必要がある。具体的に説明すると、被固定体を所定方向に沿って複数並べて固定面に固定する際に、複数の被固定体中の一つ又は幾つかの被固定体が他の被固定体に対して位置ずれしてしまうことがある。このように位置ずれしたままの状態で被固定体を固定面に固定してしまうと、構造物の外観等を損ねてしまう虞がある。そのため、構造物において複数の被固定体を所定方向に並べた状態で各被固定体を固定面に固定する場合には各被固定体を適切に位置決めする必要がある。
【０００６】
そこで、本発明は、上記の課題に鑑みてなされたものであり、その目的とするところは、構造物において所定方向に並んだ状態で固定面に固定される複数の被固定体の各々を適切に位置決めするための位置決め部材を提供することである。
【課題を解決するための手段】
【０００７】
前記課題は、本発明の位置決め部材によれば、構造物において所定方向に並んだ状態で固定面に固定される複数の被固定体の各々を、前記固定面の法線方向に沿う方向において位置決めする際に用いられる位置決め部材であって、前記複数の被固定体のうち、前記所定方向において互いに隣り合う第一被固定体及び第二被固定体の双方の間に跨った状態で該双方に組み付けられる組み付け部と、前記法線方向において前記組み付け部の端位置が前記第一被固定体の端位置と揃った状態を保持するための保持部と、前記法線方向において前記組み付け部の端位置が前記第一被固定体の端位置と揃った状態が前記保持部によって保持されている間に、前記法線方向において前記組み付け部の端位置と前記第二被固定体の端位置とが揃うように前記組み付け部に対する前記第二被固定体の位置を調整するための位置調整部と、を備えることにより解決される。
【０００８】
以上のように構成された本発明の位置決め部材は、組み付け部と保持部と位置調整部とを有する。組み付け部は、所定方向において互いに隣り合う第一被固定体及び第二被固定体の双方の間に跨った状態で組み付けられる。また、保持部により、固定面の法線方向において組み付け部の端位置が第一被固定体の端位置と揃った状態が保持される。そして、組み付け部の端位置と第一被固定体の端位置とが揃っている間に、位置調整部により、組み付け部の端位置と第二被固定体の端位置とが揃うように組み付け部に対する第二被固定体の位置が調整される。このように構成された本発明の位置決め部材によれば、第一被固定体の端位置と第二被固定体の端位置が揃うので、所定方向に並ぶ複数の被固定体の各々の端位置を順次揃えていくことで複数の被固定体すべての端位置が揃うように各被固定体の位置を調整することが可能となる。
【０００９】
また、上記のように構成された位置決め部材において、前記法線方向における前記組み付け部の端部には、前記所定方向及び前記法線方向の両方向と交差する交差方向の外側に向かって突出した突出部分が備えられており、前記法線方向において前記突出部分と当接する位置に配置された平板状の当接部を有し、前記保持部は、前記法線方向において前記当接部が前記第一被固定体の端及び前記突出部分と当接した状態を保持することで、前記法線方向において前記組み付け部の端位置が前記第一被固定体の端位置と揃った状態を保持し、前記位置調整部は、前記法線方向において前記当接部が前記第一被固定体の端及び前記突出部分と当接している間に、前記法線方向において前記当接部が前記第二被固定体の端と当接するように前記組み付け部に対する前記第二被固定体の位置を調整すると、好適である。
上記の構成では、組み付け部の突出部分及び第一被固定体の端に平板状の当接部と当接させることで組み付け部の端位置と第一被固定体の端位置とが揃えられる。そして、当接部が第一被固定体の端及び突出部分と当接している間に、第二被固定体の端に当接部を当接させると、第一被固定体の端位置と第二被固定体の端位置とが揃うようになる。このような構成であれば、比較的簡単な構成にて各被固定体の端位置を揃えることが可能となる。
【００１０】
また、上記のように構成された位置決め部材において、前記保持部は、前記法線方向において前記当接部とは反対側で前記第一被固定体と当接する第一被固定体当接部と、前記法線方向において前記当接部を前記第一被固定体の端に押し付けるために前記当接部を前記第一被固定体当接部が位置する側に向かって押圧する第一押圧部と、前記法線方向において前記当接部とは反対側で前記突出部分と当接する第一突出部分当接部と、前記法線方向において前記当接部を前記突出部分に押し付けるために前記当接部を前記第一突出部分当接部が位置する側に向かって押圧する第二押圧部と、を有すると、より好適である。
上記の構成では、第一被固定体を挟んで当接部とは反対側の位置に第一被固定体当接部が設けられている。そして、当接部を第一被固定体の端に押し付ける際、第一押圧部が当接部を第一被固定体当接部が位置する側に向かって押圧する。これにより、当接部が第一被固定体の端と当接する際の反力が確保されるため、当接部が適切に第一被固定体の端と当接するようになる。
また、上記の構成では、突出部分を挟んで当接部とは反対側の位置に第一突出部分当接部が設けられている。そして、当接部を突出部分に押し付ける際、第二押圧部が当接部を第一突出部分当接部が位置する側に向かって押圧する。これにより、当接部が突出部分と当接する際の反力が確保されるため、当接部が適切に突出部分と当接するようになる。
【００１１】
また、上記のように構成された位置決め部材において、前記第一押圧部は、前記当接部のうち、前記第一被固定体の端に当接する部分を前記法線方向に沿って移動させるために前記法線方向に沿って進退する第一ネジ体を有し、前記第二押圧部は、前記当接部のうち、前記第一被固定体に組み付けられている前記組み付け部の前記突出部分に当接する部分を前記法線方向に沿って移動させるために前記法線方向に沿って進退する第二ネジ体を有すると、更に好適である。
上記の構成では、第一押圧部及び第二押圧部の各々が、当接部の位置を移動させるために進退するネジ体を備えている。これにより、より簡単な構成にて当接部を第一被固定体の端や突出部分に押し付けることが可能となる。
【００１２】
また、上記のように構成された位置決め部材において、前記位置調整部は、前記法線方向において前記当接部とは反対側で前記第二被固定体と当接する第二被固定体当接部と、前記法線方向において前記当接部を前記第二被固定体の端に押し付けるために前記当接部を前記第二被固定体当接部が位置する側に向かって押圧する第三押圧部と、前記法線方向において前記当接部とは反対側で前記突出部分と当接する第二突出部分当接部と、前記法線方向において前記当接部を前記突出部分に押し付けるために前記当接部を前記第二突出部分当接部が位置する側に向かって押圧する第四押圧部と、を有すると、より一層好適である。
上記の構成では、第二被固定体を挟んで当接部とは反対側の位置に第二被固定体当接部が設けられている。そして、当接部を第二被固定体の端に押し付ける際、第三押圧部が当接部を第二被固定体当接部が位置する側に向かって押圧する。これにより、当接部が第二被固定体の端と当接する際の反力が確保されるため、当接部が適切に第二被固定体の端と当接するようになる。
また、上記の構成では、突出部分を挟んで当接部とは反対側の位置に第二突出部分当接部が設けられている。そして、当接部を突出部分に押し付ける際、第四押圧部が当接部を第二突出部分当接部が位置する側に向かって押圧する。これにより、当接部が突出部分と当接する際の反力が確保されるため、当接部が適切に突出部分と当接するようになる。
【００１３】
また、上記のように構成された位置決め部材において、前記第三押圧部は、前記当接部のうち、前記第二被固定体の端に当接する部分を前記法線方向に沿って移動させるために前記法線方向に沿って進退する第三ネジ体を有し、前記第四押圧部は、前記当接部のうち、前記第二被固定体に組み付けられている前記組み付け部の前記突出部分に当接する部分を前記法線方向に沿って移動させるために前記法線方向に沿って進退する第四ネジ体を有すると、尚一層好適である。
上記の構成では、第三押圧部及び第四押圧部の各々が、当接部の位置を移動させるために進退するネジ体を備えている。これにより、より簡単な構成にて当接部を第二被固定体の端や突出部分に押し付けることが可能となる。
【００１４】
また、上記のように構成された位置決め部材において、前記組み付け部は、前記第一被固定体及び前記第二被固定体の双方に対して着脱自在な状態で組み付けられるＬ型のアングル材によって構成されていると、一段と好適である。
上記の構成では、Ｌ型のアングル材が組み付け部として第一被固定体及び第二被固定体の双方に対して組み付けられる。これにより、組み付け部を比較的簡単な材料にて構成することが可能となる。また、組み付け部が第一被固定体及び第二被固定体の双方に対して着脱自在であるため、組み付け部を再利用することが可能となる。
【００１５】
また、前記位置決め部材は、前記複数の被固定体として、建物において前記所定方向に沿って間隔を開けながら並んだ状態で固定される複数の外壁パネルの各々を、前記法線方向において位置決めする際に用いられてもよい。
上記の構成によれば、建物において複数の外壁パネルを所定方向に沿って並べた状態で固定する際に、各外壁パネルの端位置を揃えた状態で固定することが可能となる。さらに、外壁パネル間に間隔が設けられる場合には、各外壁パネルの端位置が揃うように各外壁パネルを位置決めすることで、外壁パネル間の間隔が所定の長さとなるように各外壁パネルを固定することが可能となる。
【発明の効果】
【００１６】
本発明の位置決め部材によれば、構造物において所定方向に並んだ状態で固定面に固定される複数の被固定体の各々について、固定面の法線方向における各被固定体の端位置が揃うように各被固定体を適切に位置決めすることが可能になる。これにより、構造物において複数の被固定体が固定されている部分の美観を向上させることが可能となる。
【図面の簡単な説明】
【００１７】
【図１】建物の外壁を正面から見た図である。
【図２】外壁パネルと位置決め部材とを示す斜視図である。
【図３】外壁パネルの取り付け構造を示す図である。
【図４】外壁工事の手順を示す図である。
【図５】外壁パネルに取り付けられた状態の位置決め部材を示す図である。
【図６】位置決め部材による外壁パネルの位置決め方法に関する説明図である。
【図７】外壁パネルを位置決めする手順を示す図である。
【図８】位置決めされた状態の外壁パネルを上方から見た図である。
【発明を実施するための形態】
【００１８】
以下、本発明の一実施形態（以下、本実施形態）の位置決め部材について、具体例を挙げて説明する。ただし、以下に説明する実施形態は、本発明の理解を容易にするためのものであり、本発明を限定するものではない。すなわち、本発明は、その趣旨を逸脱することなく、変更、改良され得る。また、当然ながら本発明にはその等価物が含まれ得る。
【００１９】
なお、以下では、外壁を有する建物（住宅、店舗、建屋等）を構造物の一例として挙げて説明する。ただし、建物は、あくまでも構造物の一例に過ぎず、本発明の位置決め部材は、建物以外の構造物、例えば、太陽光パネルとフレームからなる太陽光発電設備、セグメントを連ねて構築されるシールド工法式のトンネル、あるいは船体ブロックを組み立てて構築される船体を構築する際にも利用可能である。
【００２０】
＜＜建物及び外壁工事の概要＞＞
本実施形態に係る位置決め部材について説明するにあたり、建物及び建物の外壁工事について概説する。なお、以下の説明において、水平方向とは、本発明の「所定方向」に該当し、具体的には建物の梁間方向若しくは桁行方向である。また、以下の説明中、建物の各構成部品（建材）の位置や向きについては、特に断る場合を除き、完成した建物における位置や向きを述べることとする。
また、以下の説明において、ある方向に沿う方向とは、当該ある方向と完全に一致する方向を含むと共に、当該ある方向から若干ずれた方向をも含むものとする。
【００２１】
本実施形態に係る建物は、複数階建ての建物であり、各階には図１に示すように外壁１が設けられている。外壁１は、水平方向及び鉛直方向の各方向に外壁パネル２を敷き詰めることにより構成されている。図１は、建物の外壁１を正面から見た図である。
【００２２】
外壁パネル２は、被固定体に相当し、公知の外壁パネルと略同様の構造となっている。具体的に説明すると、外壁パネル２は、図２に示すように屋外側に面する仕上材２ａと、外壁パネル２の厚み方向において仕上材２ａと隣接しており仕上材２ａよりも屋内側に位置するパネル本体２ｂと、を有する。図２は、外壁パネルと後述する位置決め部材とを示す斜視図である。パネル本体２ｂは、略矩形状に成形されたフレーム２ｃ内に不図示の断熱材を充填し、その周りをアルミ蒸着フィルム２ｄで覆うことで構成されている。
【００２３】
また、外壁パネル２は、図１に示すように水平方向及び鉛直方向の各方向において列状に並べられた状態で複数配置される。複数の外壁パネル２の各々は、図３に示すように取り付け金物３を介して建物の躯体（具体的には、梁４や柱５）に固定される。図３は、外壁パネル２の取り付け構造を示す平面図である。ここで、取り付け金物３において屋外側に面する面は、外壁パネル２が固定される固定面３ａに相当する。外壁パネル２は、その裏面（屋内側を向く面）を固定面３ａに当接させた状態で取り付け金物３を介して梁４や柱５に固定される。
【００２４】
取り付け金物３は、水平方向に沿って並べられた状態で複数設けられており、梁４や柱５にボルト留めあるいは溶接にて固定されている。また、外壁１を構成する外壁パネル２のうち、同じ向きに面する外壁パネル２を固定するために用いられる複数の取り付け金物３は、それぞれの固定面３ａが出入方向において揃えられるように位置決めされている。
【００２５】
ここで、出入方向とは、上記のように位置決めされた状態の各取り付け金物３の固定面３ａを貫く方向（すなわち、固定面３ａの法線方向に沿う方向）である。例えば、梁間方向に並んだ外壁パネル２及び当該外壁パネル２を固定するための取り付け金物３から見たとき、桁行方向が出入方向に相当し、桁行方向に並んだ外壁パネル２及び当該外壁パネル２を固定するための取り付け金物３から見たとき、梁間方向が出入方向に相当する。
なお、以下では、出入方向において取り付け金物３により近い側を「屋内側」と呼び、取り付け金物３からより離れている側を「屋外側」と呼ぶこととする。
【００２６】
本実施形態において、各外壁パネル２は、水平方向及び上下方向の両方向に沿って間隔を開けながら並んだ状態で固定される。これにより、外壁１には、図１に示すように外壁パネル２の間の隙間が連なった目地が形成される。より具体的に説明すると、水平方向において互いに隣り合う一対の外壁パネル２の間の隙間が鉛直方向に連続することで縦目地６が形成されている。また、上下に隣り合う一対の外壁パネル２の間の隙間が水平方向に連続することで横目地７が形成されている。
【００２７】
次に、外壁１を構築する工事（外壁工事）について説明すると、外壁工事は図４に図示の手順に従って進められる。図４は、外壁工事の手順を示す図である。具体的に説明すると、外壁工事は、取り付け金物３の設置（Ｓ００１）、取り付け金物３の位置決め（Ｓ００２）、外壁パネル２の吊り込み（Ｓ００３）、外壁パネル２の位置決め（Ｓ００４）、外壁パネル２の固定（Ｓ００５）の順に行われる。
【００２８】
取り付け金物３を設置する工程Ｓ００１では、取り付け金物３を梁４や柱５に対してセットし、その時点での位置にて仮留めしておく。取り付け金物３を位置決めする工程Ｓ００２では、水糸等を用いて、仮留めされた取り付け金物３の位置を出入方向において調整する。これにより、同じ向きに面する外壁パネル２を固定するために用いられる複数の取り付け金物３のそれぞれの固定面３ａの位置が、出入方向において揃うようになる。
【００２９】
外壁パネル２を吊り込む工程Ｓ００３では、水平方向に沿って並ぶ複数の外壁パネル２を、レッカーやクレーン等によって同時に吊り上げる。ここで、同時に吊り上げられる複数の外壁パネル２のうち、水平方向において互いに隣り合う二つの外壁パネル２の一方は、第一被固定体に該当し、以下では「第一パネル２Ｍ」と呼ぶこととし、他方は、第二被固定体に該当し、以下では「第二パネル２Ｎ」と呼ぶこととする。
【００３０】
そして、吊り上げられた各外壁パネル２は、吊り上げられた状態のまま、出入方向において取り付け金物３の固定面３ａの手前に位置するように搬送される。そして、各外壁パネル２は、取り付け金物３の固定面３ａの手前位置に至った状態では、当該外壁パネル２の厚み方向が出入方向に沿った姿勢にて吊られている。
【００３１】
外壁パネル２を位置決めする工程Ｓ００４では、吊り込まれた状態にある複数の外壁パネル２の各々の端位置（厳密には、各外壁パネル２の裏面の位置）が出入方向において揃うように、各外壁パネル２の位置を調整する。より具体的に説明すると、本工程Ｓ００４では、第一パネル２Ｍの裏面と第二パネル２Ｎの裏面とが面一となるように、第一パネル２Ｍに対して第二パネル２Ｎの位置を調整する。なお、本工程Ｓ００４において、本実施形態に係る位置決め部材（以下、位置決め部材１０）が用いられる。
【００３２】
外壁パネル２を固定する工程Ｓ００５では、吊り上げられている外壁パネル２（第一パネル２Ｍ及び第二パネル２Ｎ）の各々を、位置決め後に、それぞれ取り付け金物３に固定する。固定された各外壁パネル２は、外壁パネル２間の隙間（第一パネル２Ｍと第二パネル２Ｎとの間の隙間）が所定の幅に調整された状態で配置されるようになる。
【００３３】
以上に説明した一連の工程が、建物の各階別に繰り返し実施される。この結果、外壁１において縦目地６が上端から下端まで略均一な幅で鉛直方向に沿って直線状に延出するように形成される。同様に、横目地７が水平方向一端から他端まで均一な幅で水平方向に沿って直線状に延出するように形成される。
【００３４】
＜＜本実施形態の位置決め部材について＞＞
以下では、位置決め部材１０について、その構成例及び使用方法について説明する。位置決め部材１０は、外壁工事において外壁パネル２を位置決めする工程Ｓ００４において用いられ、より具体的には、水平方向に沿って間隔を開けながら並んだ状態で固定される複数の外壁パネル２の各々を、出入方向において位置決めする際に用いられる。
【００３５】
位置決め部材１０は、同時に吊り上げられた複数の外壁パネル２（より具体的には、第一パネル２Ｍ及び第二パネル２Ｎ）の各々に取り付けられた状態で利用される。位置決め部材１０の構成について説明すると、本実施形態において、位置決め部材１０は、図２及び図５に示すように、組み付け部１１、保持部１２、位置調整部１３及び二つの当接部（具体的には第一当接部１５及び第二当接部１８）によって構成されている。図５は、外壁パネル２に取り付けられた状態の位置決め部材１０を示す図である。
【００３６】
組み付け部１１は、図２に示すように長尺なＬ型のアングル材によって構成されている。この組み付け部１１は、図５に示すように、第一パネル２Ｍ及び第二パネル２Ｎの双方に跨った状態で当該双方に組み付けられる。より具体的に説明すると、組み付け部１１は、外壁１の横幅（複数の外壁パネル２が並ぶ方向における長さ）と略同じ長さを有する。そして、組み付け部１１は、外壁１を構築するために水平方向に沿って列状に並ぶ複数の外壁パネル２のすべてに跨った状態で各外壁パネル２に組み付けられる。
【００３７】
組み付け部１１の構成について説明すると、組み付け部１１は、図２に示すように、互いに略直交する水平部分１１ａ及び突出部分１１ｂを有する。水平部分１１ａは、第一パネル２Ｍ及び第二パネル２Ｎの各々の上面にボルト等の締結具によって締結される。突出部分１１ｂは、水平部分１１ａが第一パネル２Ｍ及び第二パネル２Ｎの各々の上面に締結された状態では、出入方向における組み付け部１１の端部（屋内側の端部）に位置し、鉛直方向上方に向かって突出している。ここで、鉛直方向は、外壁パネル２を位置決めする際において当該外壁パネル２が並ぶ水平方向及び出入方向の両方向と交差する交差方向に相当し、鉛直方向上方は、当該交差方向の外側に相当する。
【００３８】
また、水平部分１１ａを第一パネル２Ｍ及び第二パネル２Ｎの上面に締結する際、第一パネル２Ｍ及び第二パネル２Ｎは、両パネル間に隙間が形成された状態で隣り合っており、水平部分１１ａは、当該隙間を跨った状態で第一パネル２Ｍ及び第二パネル２Ｎの各々の上面に締結される。なお、第一パネル２Ｍ及び第二パネル２Ｎの各々の上面に締結された水平部分１１ａは、締結具を抜き取ることで各外壁パネル２から取り外すことが可能である。すなわち、組み付け部１１は、第一パネル２Ｍ及び第二パネル２Ｎの双方に対して着脱自在な状態で組み付けられる。このため、ある外壁パネル２の位置決めを行うために利用された組み付け部１１については、当該外壁パネル２から取り外された後、他の外壁パネル２の位置決めのために再利用することが可能である。
【００３９】
保持部１２は、外壁パネル２の位置決め中、出入方向において組み付け部１１の端位置が第一パネル２Ｍの端位置と揃った状態を保持するためのものである。厳密に説明すると、保持部１２は、組み付け部１１のうち、第一パネル２Ｍに組み付けられた部分に在る突出部分１１ｂの端面（屋内側の端面）と、第一パネル２Ｍの裏面とが面一となった状態を保持しておくために用いられる。
【００４０】
保持部１２の詳細な構成について説明すると、保持部１２は、図２に示すように下側第一治具１４と上側第一治具１６と第一押圧部２１と第二押圧部２２とを構成要素として備えている。保持部１２の各部（すなわち、下側第一治具１４、上側第一治具１６、第一押圧部２１及び第二押圧部２２）は、平板状の第一当接部１５と協働して、組み付け部１１の端位置が第一パネル２Ｍの端位置と揃った状態を保持する。
【００４１】
第一当接部１５は、略矩形状の鋼板からなり、外壁パネル２の位置決め中、図６に示すように、出入方向において組み付け部１１の突出部分１１ｂ及び第一パネル２Ｍの端の双方と当接する位置に配置される。図６は、位置決め部材１０による外壁パネル２の位置決め方法に関する説明図であり、位置決め部材１０が取り付けられた状態の第一パネル２Ｍの側面図である。
【００４２】
より詳しく説明すると、第一当接部１５の上側半分の部分が、組み付け部１１のうち、第一パネル２Ｍに組み付けられた部分に在る突出部分１１ｂの端面（屋内側の端面）と当接する。また、第一当接部１５の下側半分の部分が、第一パネル２Ｍの上端部（厳密には、突出部分１１ｂの直下位置に位置する部分）の裏面と当接する。
【００４３】
下側第一治具１４は、図２に示すように側面視でコの字状に成形された金物であり、互いに対向しながら延出している一対の立設部１４ａと、立設部１４ａ間を連結する連結部１４ｂとを有する。一方の立設部１４ａ（以下、屋内側の立設部１４ａ）には第一押圧部２１を取り付けるためのネジ孔（不図示）が形成されている。
【００４４】
下側第一治具１４は、外壁パネル２の位置決め中、図５及び図６に示すように、第一パネル２Ｍの上端部に取り付けられる。より詳しく説明すると、第一パネル２Ｍが有するパネル本体２ｂの裏面の上方部分に、図２に示すように、水平方向に沿ってアルミ蒸着フィルム２ｄを切って形成された切れ目Ｍが設けられている。この切れ目Ｍに一対の立設部１４ａのうち、第一押圧部２１が取り付けられる側とは反対側の立設部１４ａ（以下、屋外側の立設部１４ａ）を差し込む。切れ目Ｍに差し込まれた屋外側の立設部１４ａは、図６に示すように、パネル本体２ｂ内部においてフレーム２ｃの上端部と係合し、当該フレーム２ｃの上端部と当接する。つまり、屋外側の立設部１４ａは、第一被固定体当接部に該当し、出入方向において第一当接部１５とは反対側（屋外側）で第一パネル２Ｍと当接する。
【００４５】
第一押圧部２１は、出入方向において第一当接部１５の下側部分を、第一パネル２Ｍの端（裏面）に押し付けるために屋外側の立設部１４ａが位置する側に向かって押圧する。具体的に説明すると、第一押圧部２１は、図６に示すように第一ネジ体２１ａ及び押圧キャップ２１ｂを備えている。第一ネジ体２１ａは、下側第一治具１４が有する屋内側の立設部１４ａに設けられたネジ孔に螺合しており、その中心軸が出入方向に沿った状態で支持されている。そして、第一ネジ体２１ａは、操作されて回転することで第一ネジ体２１ａの中心軸に沿って進退し、所定方向に回転した際には、その先端部が屋外側の立設部１４ａに近付くように進行する。押圧キャップ２１ｂは、第一ネジ体２１ａの先端部に取り付けられたゴム製のキャップであり、第一当接部１５の下側部分と当接する部分である。
【００４６】
そして、第一押圧部２１は、下側第一治具１４が第一パネル２Ｍに組み付けられ、且つ第一パネル２Ｍの裏面と第一当接部１５の下側部分とが対向している状態において第一当接部１５を押圧する。これにより、第一当接部１５の下側部分が第一パネル２Ｍの裏面に押し付けられるようになる。
【００４７】
より詳しく説明すると、下側第一治具１４が第一パネル２Ｍに組み付けられた後、出入方向において、下側第一治具１４が有する一対の立設部１４ａの間（厳密には、第一パネル２Ｍの裏面と第一押圧部２１の押圧キャップ２１ｂとの間）に第一当接部１５が配置される。その後、第一ネジ体２１ａが操作されて、その先端部が屋外側の立設部１４ａに近付く向きに移動すると、やがて押圧キャップ２１ｂが第一当接部１５の下側部分に当接するようになる。第一ネジ体２１ａの更なる操作により、第一ネジ体２１ａは、第一当接部１５の下側部分を第一パネル２Ｍの裏面に近付けるように移動する。この結果、第一当接部１５の下側部分は、第一押圧部２１の押圧力によって第一パネル２Ｍの裏面に押し付けられるようになる。
【００４８】
上側第一治具１６は、外見上、下側第一治具１４と略同様の構造であり、図２及び図５に示すように、一対の立設部１６ａと、立設部１６ａ間を連結する連結部１６ｂとを有する。一方の立設部１６ａ（以下、屋内側の立設部１６ａ）には第二押圧部２２を取り付けるためのネジ孔（不図示）が形成されている。
【００４９】
上側第一治具１６は、外壁パネル２の位置決め中、図５及び図６に示すように、組み付け部１１の突出部分１１ｂに取り付けられる。より詳しく説明すると、上側第一治具１６は、組み付け部１１のうち、第一パネル２Ｍに組み付けられた部分に在る突出部分１１ｂが出入方向において一対の立設部１６ａの間に挟まれるように配置される。なお、一対の立設部１６ａのうち、第二押圧部２２が取り付けられる側とは反対側の立設部１６ａ（以下、屋外側の立設部１６ａ）は、図６に示すように突出部分１１ｂと係合し、当該突出部分１１ｂの屋外側の端面と当接する。つまり、屋外側の立設部１６ａは、第一突出部分当接部に該当し、出入方向において第一当接部１５とは反対側（屋外側）で突出部分１１ｂと当接する。
【００５０】
第二押圧部２２は、出入方向において第一当接部１５の上側部分を、組み付け部１１のうち、第一パネル２Ｍに組み付けられた部分に在る突出部分１１ｂに押し付けるために屋外側の立設部１６ａが位置する側に向かって押圧する。具体的に説明すると、第二押圧部２２は、図６に示すように第二ネジ体２２ａ及び押圧キャップ２２ｂを備えている。第二ネジ体２２ａは、上側第一治具１６が有する屋内側の立設部１６ａに設けられたネジ孔に螺合しており、その中心軸が出入方向に沿った状態で支持されている。そして、第二ネジ体２２ａは、操作されて回転することで第二ネジ体２２ａの中心軸に沿って進退し、所定方向に回転したときには屋外側の立設部１６ａに近付くように進行する。押圧キャップ２２ｂは、第二ネジ体２２ａの先端部に取り付けられたゴム製のキャップであり、第一当接部１５の上側部分と当接する部分である。
【００５１】
そして、第二押圧部２２は、上側第一治具１６が組み付け部１１の突出部分１１ｂに組み付けられ、且つ突出部分１１ｂと第一当接部１５の上側部分とが対向している状態において第一当接部１５を押圧する。より詳しく説明すると、上側第一治具１６が突出部分１１ｂに取り付けられると共に、出入方向において、上側第一治具１６が有する一対の立設部１４ａの間（厳密には、突出部分１１ｂの屋内側の端面と第二押圧部２２の押圧キャップ２２ｂとの間）に第一当接部１５の上側部分が配置される。かかる状態において、第二ネジ体２２ａが操作されて、その先端部が屋外側の立設部１６ａに近付く向きに移動すると、やがて押圧キャップ２２ｂが第一当接部１５の上側部分に当接するようになる。第二ネジ体２２ａの更なる操作により、第二ネジ体２２ａは、第一当接部１５の上側部分を突出部分１１ｂに近付けるように移動する。この結果、第一当接部１５の上側部分は、第二押圧部２２の押圧力によって突出部分１１ｂの屋内側の端面に押し付けられるようになる。
【００５２】
位置調整部１３は、出入方向において組み付け部１１の端位置と第一パネル２Ｍの端位置とが揃っている状態が保持部１２によって保持されている間に、出入方向において組み付け部１１の端位置と第二パネル２Ｎの端位置とが揃うように、組み付け部１１に対する第二パネル２Ｎの位置を調整するためのものである。厳密に説明すると、位置調整部１３は、組み付け部１１のうち、第二パネル２Ｎに組み付けられる部分に在る突出部分１１ｂの端面（屋内側の端面）と、第二パネル２Ｎの裏面とが面一となるように、組み付け部１１に対する第二パネル２Ｎの位置を調整するために用いられる。
【００５３】
位置調整部１３の詳細な構成について説明すると、位置調整部１３は、図２に示すように下側第二治具１７と上側第二治具１９と第三押圧部２３と第四押圧部２４とを構成要素として備えている。位置調整部１３の各部（すなわち、下側第二治具１７、上側第二治具１９、第三押圧部２３及び第四押圧部２４）は、平板状の第二当接部１８と協働して、組み付け部１１に対する第二パネル２Ｎの位置を調整する。
【００５４】
第二当接部１８は、第一当接部１５と同様に略矩形状の鋼板からなり、第一当接部１５が組み付け部１１の突出部分１１ｂ及び第一パネル２Ｍの端と当接するのと同じ要領で、突出部分１１ｂ及び第二パネル２Ｎの端と当接する。具体的に説明すると、第二当接部１８は、出入方向において第一当接部１５が突出部分１１ｂ及び第一パネル２Ｍの裏面と当接している間に、同方向において突出部分１１ｂ及び第二パネル２Ｎの端の双方と当接する位置に配置される。そして、第二当接部１８の上側半分の部分が、組み付け部１１のうち、第二パネル２Ｎに組み付けられた部分に在る突出部分１１ｂの端面（屋内側の端面）と当接する。また、第二当接部１８の下側半分の部分が、第二パネル２Ｎの上端部（厳密には、突出部分１１ｂの直下位置に位置する部分）の裏面と当接する。
【００５５】
下側第二治具１７は、下側第一治具１４と同じ構造であり、図２に示すように一対の立設部１７ａ及び連結部１７ｂを有する。また、一方の立設部１７ａ（以下、屋内側の立設部１７ａ）には第三押圧部２３を取り付けるためのネジ孔（不図示）が形成されている。
【００５６】
また、下側第二治具１７は、外壁パネル２の位置決め中、図５に示すように第二パネル２Ｎの上端部に取り付けられる。下側第二治具１７を第二パネル２Ｎに取り付ける要領は、下側第一治具１４を第一パネル２Ｍに取り付ける際の要領と同じである。すなわち、第二パネル２Ｎの裏面の上方部分に形成された切れ目Ｍに、下側第二治具１７が有する一対の立設部１７ａのうち、第三押圧部２３が取り付けられる側とは反対側の立設部１７ａ（以下、屋外側の立設部１７ａ）を差し込む。そして、パネル本体２ｂ内部において屋外側の立設部１７ａをフレーム２ｃの上端部と係合させて当該フレーム２ｃの上端部と当接させる。つまり、屋外側の立設部１７ａは、第二被固定体当接部に該当し、出入方向において第二当接部１８とは反対側（屋外側）で第二パネル２Ｎと当接する。
【００５７】
第三押圧部２３は、出入方向において第二当接部１８の下側部分を、第二パネル２Ｎの端（裏面）に押し付けるために屋外側の立設部１７ａが位置する側に向かって押圧する。第三押圧部２３は、図２に示すように第三ネジ体２３ａ及び押圧キャップ２３ｂを有する。第三ネジ体２３ａは、下側第二治具１７が有する屋内側の立設部１７ａに設けられたネジ孔に螺合しており、その中心軸が出入方向に沿った状態で支持されている。そして、第三ネジ体２３ａは、操作されて回転することで第三ネジ体２３ａの中心軸に沿って進退し、所定方向に回転した際には、その先端部が屋外側の立設部１７ａに近付くように進行する。押圧キャップ２３ｂは、第三ネジ体２３ａの先端部に取り付けられ、第二当接部１８の下側部分と当接するゴム製のキャップである。
【００５８】
そして、第三押圧部２３は、下側第二治具１７が第二パネル２Ｎに組み付けられ、且つ第二パネル２Ｎの裏面と第二当接部１８の下側部分とが対向している状態において第二当接部１８を押圧する。これにより、第二当接部１８の下側部分が第二パネル２Ｎの裏面に押し付けられるようになる。なお、第三押圧部２３により第二当接部１８を第二パネル２Ｎの裏面に押し付ける要領は、第一押圧部２１により第一当接部１５を第一パネル２Ｍの裏面に押し付ける際の要領と同じであるため、説明を省略することとする。
【００５９】
上側第二治具１９は、上側第一治具１６と同じ構造であり、図２に示すように一対の立設部１９ａ及び連結部１９ｂを有する。また、一方の立設部１９ａ（以下、屋内側の立設部１９ａ）には第四押圧部２４を取り付けるためのネジ孔（不図示）が形成されている。
【００６０】
また、上側第二治具１９は、外壁パネル２の位置決め中、図５に示すように組み付け部１１のうち、第二パネル２Ｎに組み付けられた部分に在る突出部分１１ｂに取り付けられる。上側第二治具１９を突出部分１１ｂに取り付ける要領は、上側第一治具１６を突出部分１１ｂに取り付ける際の要領と同じである。すなわち、上側第二治具１９は、出入方向において一対の立設部１９ａの間に突出部分１１ｂが挟まれるように配置される。このとき、一対の立設部１９ａのうち、第四押圧部２４が取り付けられる側とは反対側の立設部１９ａ（以下、屋外側の立設部１９ａ）は、突出部分１１ｂと係合して当該突出部分１１ｂの屋外側の端面と当接する。つまり、屋外側の立設部１９ａは、第二突出部分当接部に該当し、出入方向において第二当接部１８とは反対側（屋外側）で突出部分１１ｂと当接する。
【００６１】
第四押圧部２４は、出入方向において第二当接部１８の上側部分を、組み付け部１１のうち、第二パネル２Ｎに組み付けられた部分に在る突出部分１１ｂに押し付けるために屋外側の立設部１９ａが位置する側に向かって押圧する。第四押圧部２４は、図２に示すように第四ネジ体２４ａ及び押圧キャップ２４ｂを有する。第四ネジ体２４ａは、上側第二治具１９が有する屋内側の立設部１９ａに設けられたネジ孔に螺合しており、その中心軸が出入方向に沿った状態で支持されている。そして、第四ネジ体２４ａは、操作されて回転することで第四ネジ体２４ａの中心軸に沿って進退し、所定方向に回転した際には、その先端部が屋外側の立設部１９ａに近付くように進行する。押圧キャップ２４ｂは、第四ネジ体２４ａの先端部に取り付けられ、第二当接部１８の上側部分と当接するゴム製のキャップである。
【００６２】
そして、第四押圧部２４は、上側第二治具１９が組み付け部１１の突出部分１１ｂに組み付けられ、且つ突出部分１１ｂと第二当接部１８の上側部分とが対向している状態において第二当接部１８を押圧する。これにより、第二当接部１８の上側部分が突出部分１１ｂの屋内側の端面に押し付けられるようになる。なお、第四押圧部２４により第二当接部１８を突出部分１１ｂに押し付ける要領は、第二押圧部２２により第一当接部１５を突出部分１１ｂに押し付ける際の要領と同じであるため、説明を省略することとする。
【００６３】
次に、以上のように構成された位置決め部材１０を用いて外壁パネル２を位置決めする方法について説明する。なお、以下では、建物において一面分の外壁１を構築する外壁パネル２を位置決めする方法について説明する。実際の外壁工事では、以下に説明する手順が、各面の外壁１を構築する度に繰り返し実施されることになる。
【００６４】
外壁パネル２の位置決めは、図７に図示の流れに沿って進められる。図７は、外壁パネルを位置決めする手順を示す図である。外壁パネル２を位置決めするにあたり、建物において所定の方角に面する外壁１を構成する外壁パネル２のうち、同じ階に位置する複数の外壁パネル２（すなわち、同じ高さに位置して水平方向に並べられる複数の外壁パネル２）の各々に、下側第一治具１４や下側第二治具１７に相当する治具を取り付ける（Ｓ０１１）。
【００６５】
その後、治具が取り付けられた複数の外壁パネル２を同時に吊り上げ、外壁１の一端（具体的には、コーナー部）に位置する外壁パネル２を第一パネル２Ｍとし、これと隣り合う外壁パネル２を第二パネル２Ｎとして位置決めを開始する。先ず、第一パネル２Ｍの上端面に組み付け部１１の水平部分１１ａを締結して組み付け部１１を第一パネル２Ｍに組み付ける（Ｓ０１２）。
【００６６】
その後、組み付け部１１のうち、第一パネル２Ｍに組み付けられた部分に在る突出部分１１ｂに上側第一治具１６を取り付ける（Ｓ０１３）。このとき、上側第一治具１６は、第一パネル２Ｍに取り付けられた下側第一治具１４の略直上位置に取り付けられる。また、下側第一治具１４及び上側第一治具１６の各々が有する一対の立設部１４ａ、１６ａの間に第一当接部１５を配置する（Ｓ０１４）。具体的には、図６に示すように、第一当接部１５の下側部分が第一パネル２Ｍの裏面に対向し、第一当接部１５の上側部分が突出部分１１ｂの屋内側の端面に対向するように第一当接部１５を配置する。
【００６７】
第一当接部１５の配置後、下側第一治具１４に取り付けられた第一押圧部２１、及び、上側第一治具１６に取り付けられた第二押圧部２２をそれぞれ操作して、組み付け部１１のうち、第一パネル２Ｍに組み付けられた部分に在る突出部分１１ｂ及び第一パネル２Ｍの裏面の双方に第一当接部１５を押し付ける（Ｓ０１５）。これにより、出入方向において組み付け部１１の端位置が第一パネル２Ｍの端位置と揃うようになる。以降、外壁パネル２の位置決めが完了するまで間、出入方向において組み付け部１１の端位置（突出部分１１ｂの端位置）が第一パネル２Ｍの端位置と揃った状態が保持されるようになる。
【００６８】
次に、組み付け部１１のうち、第二パネル２Ｎに組み付けられる部分に在る突出部分１１ｂに対して上側第二治具１９を取り付ける（Ｓ０１６）。このとき、第二パネル２Ｎは、水平方向において第一パネル２Ｍと所定の隙間を隔てて隣り合う位置にあり、且つ、組み付け部１１の水平部分１１ａの直下に位置している。また、上側第二治具１９は、第二パネル２Ｎに取り付けられた下側第二治具１７の略直上位置に取り付けられる。
【００６９】
その後、下側第二治具１７及び上側第二治具１９の各々が有する一対の１７ａ、１９ａの間に第二当接部１８を配置する（Ｓ０１７）。具体的には、第二当接部１８の下側部分が第二パネル２Ｎの裏面に対向し、第二当接部１８の上側部分が突出部分１１ｂの屋内側の端面に対向するように第二当接部１８を配置する。
【００７０】
第二当接部１８の配置後、下側第二治具１７に取り付けられた第三押圧部２３、及び、上側第二治具１９に取り付けられた第四押圧部２４をそれぞれ操作して、組み付け部１１のうち、第二パネル２Ｎに組み付けられる部分に在る突出部分１１ｂ及び第二パネル２Ｎの裏面の双方に第二当接部１８を押し付ける（Ｓ０１８）。これにより、第二当接部１８が第二パネル２Ｎの裏面（端）と当接するように、組み付け部１１に対する第二パネル２Ｎの位置が調整される。
【００７１】
そして、上記のように第二パネル２Ｎの位置が調整されることで、出入方向において第二パネル２Ｎの端位置が組み付け部１１の突出部分１１ｂの端位置と揃うようになる。この結果、図８に示すように、第一パネル２Ｍの裏面と第二パネル２Ｎの裏面とが面一となるように各外壁パネル２が位置決めされるようになる（厳密には、第二パネル２Ｎが組み付け部１１に対して位置決めされるようになる）。図８は、位置決めされた状態の外壁パネル２を上方から見た図である。
【００７２】
位置決め後、第二パネル２Ｎの上端面に組み付け部１１の水平部分１１ａを締結して、組み付け部１１を第二パネル２Ｎに組み付けて固定する（Ｓ０１９）。これにより、第二パネル２Ｎ一つ分の位置決めが終了する。その後、それまで第二パネル２Ｎとして取り扱っていた外壁パネル２を第一パネル２Ｍとし、これと隣り合う外壁パネル２（厳密には、それまで第一パネル２Ｍとして取り扱っていた外壁パネル２とは反対側に位置する外壁パネル２）を第二パネル２Ｎとした上で、ステップＳ０１２以降の一連のステップを繰り返す。
【００７３】
そして、ある面をなす外壁１において同じ階に位置する複数の外壁パネル２のそれぞれについてステップＳ０１２〜Ｓ０１９が繰り返されることで、当該複数の外壁パネル２の各々の端位置が揃うように各外壁パネル２が順次、位置決めされる。このとき、水平方向において一定間隔毎（例えば、２〜３枚分の外壁パネル２に相当する間隔毎）に不図示の風防下げ振り等を外壁パネル２に取り付けて、各外壁パネル２の上下方向（高さ方向）が鉛直方向に対して略平行となっていることを適宜確認するのが望ましい。
【００７４】
位置決めされた複数の外壁パネル２は、取り付け金物３の固定面３ａに固定される。その後、各外壁パネル２に跨った状態で組み付けられていた組み付け部１１が取り外される。取り外された組み付け部１１は、次回以降の位置決めにおいて再利用される。
【００７５】
以上までに説明してきた手順は、建物の階数と同じ回数だけ繰り返される。この結果、ある面をなす外壁１が構築され、当該外壁１では縦目地６及び横目地７が良好に形成されるようになる。
【００７６】
以上までに本発明の位置決め部材の構成及び使用方法について具体例を挙げて説明してきたが、上述の実施形態は、あくまでも一例に過ぎず、他の実施形態も考えられる。例えば、上述の実施形態では、Ｌ型のアングル材を組み付け部１１として利用しているが、これに限定されるものではなく、角材や角筒材を組み付け部１１として利用してもよい。
【００７７】
また、上記の実施形態では、側面視でコの字状の金物からなる下側第一治具１４、上側第一治具１６、下側第二治具１７、上側第二治具１９として利用したが、これに限定されるものではなく、同様の機能を発揮するものであればよく、例えば通常のクランプを利用してもよい。
【００７８】
また、上記の実施形態では、本発明の位置決め部材を用いて、建物の外壁１を構築するために所定方向に沿って複数並べられる外壁パネル２の各々を位置決めするケースについて説明してきたが、これに限定されるものではない。建物において所定方向に沿って複数並べられるパネル体やブロック体（例えば、ＡＬＣ板、コイルブロック、フェンス、タイル及び仮囲い材）の各々を位置決めする際にも、本発明の位置決め部材は利用可能である。
【符号の説明】
【００７９】
１  外壁
２  外壁パネル（被固定体）
２ａ  仕上材
２ｂ  パネル本体
２ｃ  フレーム
２ｄ  アルミ蒸着フィルム
２Ｍ  第一パネル（第一被固定体）
２Ｎ  第二パネル（第二被固定体）
３  取り付け金物
３ａ  固定面
４  梁
５  柱
６  縦目地
７  横目地
１０  位置決め部材
１１  組み付け部
１１ａ  水平部分
１１ｂ  突出部分
１２  保持部
１３  位置調整部
１４  下側第一治具
１４ａ  立設部（第一被固定体当接部）
１４ｂ  連結部
１５  第一当接部
１６  上側第一治具
１６ａ  立設部（第一突出部分当接部）
１６ｂ  連結部
１７  下側第二治具
１７ａ  立設部（第二被固定体当接部）
１６ｂ  連結部
１８  第二当接部
１９  上側第二治具
１９ａ  立設部（第二突出部分当接部）
１９ｂ  連結部
２１  第一押圧部
２１ａ  第一ネジ体
２１ｂ  押圧キャップ
２２  第二押圧部
２２ａ  第二ネジ体
２２ｂ  押圧キャップ
２３  第三押圧部
２３ａ  第三ネジ体
２３ｂ  押圧キャップ
２４  第四押圧部
２４ａ  第四ネジ体
２４ｂ  押圧キャップ
Ｍ  切れ目
【図１】
2019011617.tif 000003
【図２】
2019011617.tif 000004
【図３】
2019011617.tif 000005
【図４】
2019011617.tif 000006
【図５】
2019011617.tif 000007
【図６】
2019011617.tif 000008
【図７】
2019011617.tif 000009
【図８】
2019011617.tif 000010